(57)【要約】【課題】  側板を選択的に開閉することができ、磁力を利用して全ての側板を迅速に開くことができ、部品数が少なく、構造上も安定した収納ラックを提供すること。【解決手段】  本体部３内へスライド部２を挿入し、本体部３の各側面に側板４を接離可能に連結し、スライド部２及び本体部３に吸引し合う位置決め磁石２１，３１を設け、スライド部２の上端に設けた上蓋１が本体部の上縁に当たって、位置決め磁石２１，３１どうしが互いの磁場範囲から離脱するのを規制し、側板４に磁石４１を装着し、スライド部２の各側面に磁石４１と吸引しあう吸引磁石２２を設け、そのやや上方に磁石４１と反発しあう反発磁石２３を設け、スライド部２を押し下げると、反発磁石２３と磁石４１の斥力により、側板４が本体部３の側面から離れ、本体部３の両側部に形成した係止孔３３と、側板４の両側部に形成した係止切欠４２が同じ高さになって、物品ａを収納できる。【選択図】          図７
0003103313.tif 000002
【実用新案登録請求の範囲】
【請求項１】
上端面が開口した角筒状の本体部と、該本体部の上端面から内部へ摺動可能に挿入された角筒状のスライド部と、該スライド部の上端に取り付けられた上蓋と、前記本体部の各側面外面にそれぞれアームを介して接離可能に連結された側板とを備え、前記スライド部及び本体部に、互いに吸引し合って前記スライド部を位置決めする位置決め磁石をそれぞれ設け、前記上蓋は、前記スライド部が下降した時、前記本体部の上縁に当たることにより、前記スライド部の位置決め磁石が前記本体部の位置決め磁石の磁場範囲から離脱するのを規制し、前記側板にそれぞれ磁石を装着し、前記スライド部の各側面において、前記スライド部が位置決めされた高さにある時、前記側板の磁石と一致する高さに、該磁石と吸引しあう吸引磁石を設けると共に、該吸引磁石のやや上方に、前記側板の磁石と反発しあう反発磁石を設け、前記本体部の両側部に多数の係止孔を形成すると共に、前記側板の両側部に多数の係止切欠を形成し、これら係止孔と係止切欠とは、前記スライド部がその反発磁石と側板の磁石とが一致する高さまで下降して、前記側板が本体部の側面から離れた時に、同じ高さになるよう設定されていることを特徴とした収納ラック。
【考案の詳細な説明】
【技術分野】
【０００１】
本考案は、磁力により開閉を行う磁力開閉式収納ラックに関する。
【背景技術】
【０００２】
収納ラックは、その種類や形状は多岐に渡るが、内部空間を有効に利用するために、複数の収納空間を重ねた分層構造としてあるものが多い。このような収納ラックは、部品数が多くてコストが高く付き、様々な使用形態に変化させることができなかった。
また、必要な収納容量や設置スペースの広さに応じて、ラックを組み合わせることがあるが、これはあくまでも複数のラックによるものであって、収納量やスペースに応じて１個のラックの容積を調整することはできなかった。
【考案の開示】
【考案が解決しようとする課題】
【０００３】
本考案が解決しようとする課題は、必要な収納容量や設置スペースの広さに応じて、側板を選択的に開閉することができ、磁力を利用して全ての側板を迅速に開くことができ、部品数が少なく、構造上も安定した収納ラックを提供することにある。
【課題を解決するための手段】
【０００４】
本考案の磁力開閉式収納ラックは、上端面が開口した角筒状の本体部と、該本体部の上端面から内部へ摺動可能に挿入された角筒状のスライド部と、該スライド部の上端に取り付けられた上蓋と、前記本体部の各側面外面にそれぞれアームを介して接離可能に連結された側板とを備え、前記スライド部及び本体部に、互いに吸引し合って前記スライド部を位置決めする位置決め磁石をそれぞれ設け、前記上蓋は、前記スライド部が下降した時、前記本体部の上縁に当たることにより、前記スライド部の位置決め磁石が前記本体部の位置決め磁石の磁場範囲から離脱するのを規制し、前記側板にそれぞれ磁石を装着し、前記スライド部の各側面において、前記スライド部が位置決めされた高さにある時、前記側板の磁石と一致する高さに、該磁石と吸引しあう吸引磁石を設けると共に、該吸引磁石のやや上方に、前記側板の磁石と反発しあう反発磁石を設け、前記本体部の両側部に多数の係止孔を形成すると共に、前記側板の両側部に多数の係止切欠を形成し、これら係止孔と係止切欠とは、前記スライド部がその反発磁石と側板の磁石とが一致する高さまで下降して、前記側板が本体部の側面から離れた時に、同じ高さになるよう設定されている。
【考案の効果】
【０００５】
本考案によれば、次のような効果を発揮することができる。
１．構造が簡単で部品数が少ないので、コストが低廉で済む。
２．スライド部を押し下げるだけで、磁石の斥力を利用して各側板を同時に開くことができると共に、磁石の吸引力を利用して側板を閉じた状態に保持できる。
３．収納時には側板が開くので安定性が高まり、収納する物品の量や設置スペースの形状・広さに応じて、開く側板の数や位置を適宜選択し、全体の形状や容積を調節することが可能である。
４．組立や側板の展開に、工具による作業が不要であり、素人でも容易に使用可能な形態に変形できる。
５．非常に革新的で独創的な外観が得られる。
【考案を実施するための最良の形態】
【０００６】
本考案の磁力開閉式収納ラックは、図１に示すように、全体として四角柱状の外観を有し、図２に示すように、上蓋１、上端面が開口した四角筒状のスライド部２、上端が開口した四角筒状の本体部３、及び、本体部３の各側面外面に配置された合計４枚の側板４を備える。
上蓋１は、本体部３の断面より一回り広い支持部１１を有し、支持部１１よりも下方の部分がスライド部２の上端から内部に挿入され、上蓋１とスライド部２とが連動するようになっている。
なお、上蓋１に照明装置を設置して、収納ラックに装飾用或いは照明用のテーブルランプ又はスタンドランプとしての機能を付加することもできる。
【０００７】
スライド部２は、本体部３よりも短く、且つ、本体部３の内周よりもやや細く形成され、図３に示すように、本体部３の上端面から内部に摺動可能に挿入される。そして、本体部３が下降する際に、上蓋１の支持部１１が本体部３の上縁に当たると、スライド部２がその位置よりも下がるのを規制するようになっている。
また、スライド部２の外面上部寄りに位置決め磁石２１が装着され、この位置決め磁石２１が本体部３の上部に装着された位置決め磁石と吸引し合って、スライド部２の高さを位置決めする。
【０００８】
さらに、スライド部２の各側面の下端部には、それぞれ吸引磁石２２が装着され、吸引磁石２２のやや上方にこれとは極性が逆な反発磁石２３がそれぞれ装着される。
なお、位置決め磁石２１，３１によって位置決めされるスライド部２の高さは、その位置から下方へ移動可能な高さとする。
また、図４に示すように、上蓋１を押し込むことによってスライド部２が下限位置まで下降しても、スライド部２の位置決め磁石２１は本体部３の位置決め磁石３１の磁場範囲から離脱せず、押圧する力が消えたときは、スライド部２が元の位置に復帰するようになっている。
【０００９】
図２に示すように、本体部３の底には回転台座３０が取り付けられて、本体部３を中心軸回りに回動させることができるようになっている。
また、本体部３の各側面の中央部は内側へ陥没して、側面外面に上下方向に沿う溝３２が形成される。
本体部３の各側面の両側部には、多数の係止孔３３が適宜間隔毎に形成される。これら係止孔３３は、上下方向に並んで配置され、且つ、隣り合う側面の同じ位置に形成されて、本体部３の角部を跨いで連続している。
【００１０】
側板４は、本体部３の側面とほぼ同形であり、その内面の下端部及び中間部には、それぞれアーム４３の一端が軸着されている。
アーム４３の他端は、それぞれ本体部３の溝３２内の下端部及び中間部に軸着され、アーム４３を回動することにより、側板４が本体部３の側面に接近・離間するようになっている。
そして、図１及び図３に示すように、アーム４３をまっすぐに立てて溝３２内に収納すると、側板４が本体部３の側面外面に重なるようになっている。
【００１１】
側板４の上下方向中間部には、スライド部２の吸引磁石２２と吸引しあい、反発磁石２３と反発しあう磁石４１が装着される。
また、側板４の両側部には、本体部３の係止孔３３と対応する多数の係止切欠４２が、上下方向に適宜間隔をおいて形成されている。
常態では（スライド部２が位置決め磁石２１，３１によって位置決めされた高さにある時は）、本体部３の側面に密着した側板４の磁石４１と、本体部３の吸引磁石２２とが一致して、側板４がその位置に保持される。
【００１２】
ところが、上蓋１を押圧してスライド部２を押し下げると、図５に示すように、吸引磁石２２が磁石４１から外れた高さまで下降し、反発磁石２３が磁石４１と一致して互いに反発しあう。この結果、図７及び図６の破線で示すように、側板４が本体部３の側面から遠ざかる。
このように側板４を広げると、本体部３の角部に形成した係止孔３３と、側板４の係止切欠４２とが同じ高さになるよう設定されているので、係止切欠４２及び係止孔３３にＣＤ等の物品ａを差し込んで収納することができる。
【００１３】
収納量が少なくて、全ての側板を広げる必要がない場合は、スライド部２が元の高さに戻ってから、不要な側板４を押し戻して本体部３の側面に重ねれば、その位置で保持される。
なお、本体部３及びスライド部２の形状並びに側板４の数は、上記実施例に限定されない。例えば、図８に示すように、本体部３及びスライド部２を三角筒状として、側板４を３枚配置しても良いし、図９に示すように、本体部３及びスライド部２を六角筒状として、側板４を６枚配置することもできる。
【図面の簡単な説明】
【００１４】
【図１】本考案の実施例を示す磁力開閉式収納ラックの全体斜視図。
【図２】本考案の実施例を示す磁力開閉式収納ラックの分解斜視図。
【図３】本考案の実施例を示す磁力開閉式収納ラックの断面図。
【図４】図３のＡ部拡大図。
【図５】図３のＢ部拡大図。
【図６】本考案の実施例を示す磁力開閉式収納ラックの側面図。
【図７】本考案の実施例を示す磁力開閉式収納ラックの使用時の斜視図。
【図８】本考案の他の実施例を示す磁力開閉式収納ラックの平面図。
【図９】本考案のさらに他の実施例を示す磁力開閉式収納ラックの平面図。
【符号の説明】
【００１５】
１  上蓋
１１  支持部
２  スライド部
２１  位置決め磁石
２２  吸引磁石
２３  反発磁石
３  本体部
３１  位置決め磁石
３０  回転台座
３２  溝
３３  係止孔
４  側板
４１  磁石
４２  係止切欠
４３  アーム
ａ  物品
【図１】
0003103313.tif 000003
【図２】
0003103313.tif 000004
【図３】
0003103313.tif 000005
【図４】
0003103313.tif 000006
【図５】
0003103313.tif 000007
【図６】
0003103313.tif 000008
【図７】
0003103313.tif 000009
【図８】
0003103313.tif 000010
【図９】
0003103313.tif 000011